(57)【要約】【課題】従来に比べて録音品質を向上させることが可能な音声記録再生装置を提供する。【解決手段】本発明の音声記録再生装置は、音声を取込む音声取込み手段と、音声を音声信号として量子化するとともに、所定時間内に取得される音声信号のうち、所定のレベルよりも大きいレベルを有する音声信号が出力された回数を検出するレベル検出手段と、録音対象の種類または録音対象までの距離に基づく所定の閾値として、所定のレベルよりも大きいレベルを有する音声信号が所定時間内において出力された回数が記憶された記憶手段と、レベル検出手段によって検出された回数と、記憶手段に記憶された所定の閾値とに基づく比較を行うことにより、実際の録音対象において発せられた音声の音量が、所定の閾値に応じて予め設定された所定の音量よりも大きいか否かを判定しつつ録音を行う音量判定手段と、を具備したことを特徴とする。【選択図】図１
2008292684.tif 000002
【特許請求の範囲】
【請求項１】
音声を取込む音声取込み手段と、
上記音声を取込む際の感度に対応したサンプリング周波数を用いつつ該音声を音声信号として量子化するとともに、所定時間内に取得される上記音声信号のうち、所定のレベルよりも大きいレベルを有する音声信号が出力された回数を検出するレベル検出手段と、
録音対象の種類または録音対象までの距離に基づいて予め定められた所定の閾値として、上記所定のレベルよりも大きいレベルを有する音声信号が上記所定時間内において出力された回数が記憶された記憶手段と、
上記レベル検出手段によって検出された上記回数と、上記記憶手段に記憶された上記所定の閾値とに基づく比較を行うことにより、実際の録音対象において発せられた上記音声の音量が、上記所定の閾値に応じて予め設定された所定の音量よりも大きいか否かを判定しつつ録音を行う音量判定手段と、
を具備したことを特徴とする音声記録再生装置。
【請求項２】
上記音声取込み手段から上記実際の録音対象までの距離に関する情報を出力する測距手段と、
上記測距手段によって出力された距離が、上記音声取込み手段における感度が最適な状態を維持できる感度最適距離内であるか否かを判定する距離判定手段と、
上記実際の録音対象において発せられた上記音声の音量が上記所定の音量よりも大きく、かつ、上記距離判定手段の判定結果が上記感度最適距離内であった場合に、上記実際の録音対象において発せられた上記音声が上記音声取込み手段に入力される際の過入力を抑制するような調整を行う過入力調整手段と、
を更に具備したことを特徴とする請求項１に記載の音声記録再生装置。
【請求項３】
上記音声取込み手段から上記実際の録音対象までの距離に関する情報を出力する測距手段と、
上記測距手段によって出力された距離が、上記音声取込み手段における感度が最適な状態を維持できる感度最適距離以内であるか否かを判定する距離判定手段と、
上記実際の録音対象において発せられた上記音声の音量が上記所定の音量よりも大きく、かつ、上記距離判定手段の判定結果が上記感度最適距離外であった場合に、上記実際の録音対象において発せられた上記音声が上記音声取込み手段に入力される際の入力感度を調整する入力感度調整手段と、
を更に具備したことを特徴とする請求項１に記載の音声記録再生装置。
【請求項４】
上記音声取込み手段から上記実際の録音対象までの距離に関する情報を出力する測距手段と、
上記測距手段によって出力された距離が、上記音声取込み手段における感度が最適な状態を維持できる感度最適距離以内であるか否かを判定する距離判定手段と、
上記実際の録音対象において発せられた上記音声の音量が上記所定の音量よりも小さく、かつ、上記距離判定手段の判定結果が上記感度最適距離内であった場合に、上記実際の録音対象において発せられた上記音声が上記音声取込み手段に入力される際の入力感度を調整する入力感度調整手段と、
を更に具備したことを特徴とする請求項１に記載の音声記録再生装置。
【請求項５】
上記音声取込み手段から上記実際の録音対象までの距離に関する情報を出力する測距手段と、
上記測距手段によって出力された距離が、上記音声取込み手段における感度が最適な状態を維持できる感度最適距離内であるか否かを判定する距離判定手段と、
上記実際の録音対象において発せられた上記音声の音量が上記所定の音量よりも小さく、かつ、上記距離判定手段の判定結果が上記感度最適距離外であった場合に、録音が不可能である旨の警告を行う警告手段と、
を更に有し、
上記距離判定手段の判定結果に基づき、上記音声取込み手段から上記実際の録音対象までの距離が上記感度最適距離外から上記感度最適距離内に遷移したと判定された場合、上記警告を停止させることを特徴とする請求項１に記載の音声記録再生装置。
【請求項６】
上記測距手段は、
測距センサから出力された距離に関する情報を、上記音声取込み手段から上記実際の録音対象までの距離に反比例する信号に変換する変換手段を有し、
上記距離判定手段は、上記変換手段によって変換された変換信号と上記感度最適距離に係る信号とを比較することにより、上記音声取込み手段から上記実際の録音対象までの距離が上記感度最適距離内であるか否かを判定することを特徴とする請求項２乃至請求項５のいずれか一に記載の音声記録再生装置。
【請求項７】
上記音声取込み手段から上記実際の録音対象までの距離に関する情報を出力する測距手段と、
上記測距手段によって出力された距離が、上記音声取込み手段における感度が最適な状態を維持できる感度最適距離内であるか否かを判定する距離判定手段と、
を更に有し、
上記実際の録音対象において発せられた上記音声の音量が上記所定の音量よりも小さく、かつ、上記距離判定手段の判定結果が上記感度最適距離外であった場合に、録音が不可能である旨の警告を行うとともに、上記音量判定手段における判定を一時的に停止させることを特徴とする請求項１に記載の音声記録再生装置。
【発明の詳細な説明】
【技術分野】
【０００１】
本発明は、音声記録再生装置に関し、特に、録音対象までの距離を判別することが可能な機能を有する音声記録再生装置に関するものである。
【背景技術】
【０００２】
周知のように、音声信号をデジタルデータに変換した後、書換え可能な記録媒体としてのフラッシュメモリに記憶し、該フラッシュメモリに記録された音声データをアナログ化して再生するという携帯型の音声記録再生装置（以下、ＩＣレコーダと称す）が１９９０年代後半から本格的に実用化されている。さらに最近では、ＷＭＡおよびＭＰ３等のミュージックファイルを高音質で再生することが可能な、ミュージックプレーヤとしてのＩＣレコーダも製品化されている。そして、これらＩＣレコーダにおいて適用可能な技術としては、例えば、特許文献１に記載されている技術がある。
【０００３】
具体的には、特許文献１には、音声認識装置の入力装置において、録音対象までの距離に応じてゲインを補正する技術が記載されている。
【特許文献１】特開昭５９−６５９００号公報
【発明の開示】
【発明が解決しようとする課題】
【０００４】
しかしながら、特許文献１においては、録音対象までの距離をゲイン補正用のパラメータとして用いることが記載されているのみであり、該録音対象において発せられた音量の大小が考慮されていないため、録音された音声における音量が一定しないという課題が生じている。
【０００５】
具体的には、例えば、録音対象までの距離が近いにも関わらず、該録音対象において発せられた音量が小さい場合には、録音された音声における音量が小さくなってしまう。これにより、上記録音された音声の再生時には、聴き取りに十分なレベルまで音量を増加させる必要が生じる一方、音量の増加に伴って音割れが生じてしまう場合がある。
【０００６】
本発明は、上記事情に鑑みてなされたものであり、録音対象の種類または録音対象までの距離に加え、該録音対象において発せられた音量を併せて考慮した動作を行うことにより、従来に比べて録音品質を向上させることが可能な音声記録再生装置を提供することを目的としている。
【課題を解決するための手段】
【０００７】
上述の目的を達成するために、本発明の音声記録再生装置は、音声を取込む音声取込み手段と、上記音声を取込む際の感度に対応したサンプリング周波数を用いつつ該音声を音声信号として量子化するとともに、所定時間内に取得される上記音声信号のうち、所定のレベルよりも大きいレベルを有する音声信号が出力された回数を検出するレベル検出手段と、録音対象の種類または録音対象までの距離に基づいて予め定められた所定の閾値として、上記所定のレベルよりも大きいレベルを有する音声信号が上記所定時間内において出力された回数が記憶された記憶手段と、上記レベル検出手段によって検出された上記回数と、上記記憶手段に記憶された上記所定の閾値とに基づく比較を行うことにより、実際の録音対象において発せられた上記音声の音量が、上記所定の閾値に応じて予め設定された所定の音量よりも大きいか否かを判定しつつ録音を行う音量判定手段と、を具備したことを特徴とする。
【発明の効果】
【０００８】
本発明における音声記録再生装置によると、録音対象の種類または録音対象までの距離に加え、該録音対象において発せられた音量を併せて考慮した動作を行うことにより、従来に比べて録音品質を向上させることが可能である。
【発明を実施するための最良の形態】
【０００９】
以下、図面を参照して本発明の実施の形態を説明する。
【００１０】
図１から図８Ｂは、本発明の実施形態に係るものである。図１は、本発明の一実施形態としての音声記録再生装置の要部の構成を示したブロック図である。図２は、図１の音声記録再生装置を有して構成されるＩＣレコーダの要部のブロック構成を示す図である。図３は、本実施形態のＩＣレコーダの主な動作を示すフローチャートである。図４は、図２のＩＣレコーダにおいて、録音動作に関わる機能のブロック構成を示す図である。図５Ａは、入力される音声信号と、Ａ／Ｄ変換器のダイナミックレンジと、マグニチュードコンパレータが行う比較処理において用いられる閾値との相関を示す図である。図５Ｂは、話者からマイクまでの距離と、距離検出回路から出力される電圧値との相関を示す図である。図６は、本実施形態のＩＣレコーダにおいて行われる録音処理を示すフローチャートである。図７は、図６における話者距離検出処理のサブルーチンを示すフローチャートである。図８Ａは、本実施形態のＩＣレコーダにおける上面部の外観を示す図。図８Ｂは、本実施形態のＩＣレコーダにおける前面部の外観を示す図である。
【００１１】
図１に示すように、本実施形態の音声記録再生装置１０１は、図１には図示しないマイクアンプにより増幅された口述等の音声信号と予め決められた所定の判定基準値とを大小比較する音声信号レベル検出手段１と、上記音声信号レベル検出手段１により検出された判定基準値以上の音声信号が、所定時間内に入力された回数に基づいて録音対象を判別特定する録音対象判定手段２と、音声記録再生装置１０１の一端面に設けられたマイクから話者までの距離を測る話者距離測距手段３と、上記話者距離測距手段３から出力された距離信号と予め決められた所定の判定基準値とを大小比較する話者距離検出手段４と、上記話者距離検出手段４により検出された距離信号と判定基準値との相関に基づいて上記録音対象までの距離を判別及び特定する話者距離判定手段５と、上記録音対象判定手段２の判定結果と上記話者距離判定手段５の判定結果とに基づいて上記音声信号のレベルを最適化して録音開始停止を制御する録音制御手段６と、上記録音制御手段６の制御に基づいて上記音声信号を所定のサンプリング周波数に応じたビットレートの音声データに符号化する符号化手段７と、を有して要部が構成されている。
【００１２】
図１の音声記録再生装置を有して構成されるＩＣレコーダの要部のブロック構成を図２に示す。
【００１３】
前述した音声記録再生装置１０１を有して構成される本実施形態のＩＣレコーダ１０２は、音声を電気信号に変換するマイクロフォン（ＭＩＣ）１１を具備している。そして、上記マイクロフォン（ＭＩＣ）１１からの音声出力は、後段のマイクアンプ（ＡＭＰ）１２により増幅される。
【００１４】
上記マイクアンプ（ＡＭＰ）１２により増幅されたアナログの音声信号は、ローパスフィルタ（ＬＰＦ）１３により不要な周波数帯域がカットされた後、Ａ／Ｄ変換器（ＡＤＣ）１４に入力される。
【００１５】
また、上記Ａ／Ｄ変換器（ＡＤＣ）１４においてデジタル信号に変換された音声信号は、デジタル信号処理部（ＤＳＰ）２４に入力される。このデジタル信号処理部（ＤＳＰ）２４は、システム制御部２１に制御され、録音時には、上記Ａ／Ｄ変換器（ＡＤＣ）１４によりデジタル信号に変換された音声信号をフレーム単位で所定の符号化フォーマットの音声データに符号化（圧縮）する。そして、上記音声データは、一時的にシステム制御部２１の図示しないバッファメモリに記憶される。
【００１６】
一方、上記デジタル信号処理部（ＤＳＰ）２４は、システム制御部２１に制御され、再生時には、該システム制御部２１の図示しないバッファメモリから音声データを読み込みつつ、読み込んだ該音声データをフレーム単位で復号化（伸長）する。そして、復号化された音声のデジタル信号は、Ｄ／Ａ変換器（ＤＡＣ）１５によりアナログ信号に変換され、ローパスフィルタ（ＬＰＦ）１６により不要な周波数帯域がカットされ、パワーアンプ（ＡＭＰ）１７により増幅された後、スピーカ（ＳＰ）１８から音声として出力される。
【００１７】
なお、後述するＣＰＵ４６等を有して構成される上記システム制御部２１には、上記デジタル信号処理部（ＤＳＰ）２４以外に、記憶部（メモリ）２３、操作部２２、表示部２０、及び距離検出部１９が接続されている。
【００１８】
記憶部（メモリ）２３は、例えばフラッシュメモリ等の不揮発性の半導体メモリにより構成されている。そして、記憶部（メモリ）２３は、録音時には、上記デジタル信号処理部（ＤＳＰ）２４で符号化された音声データを上記システム制御部２１の図示しないバッファメモリを介して記憶する。また、このとき、記憶部（メモリ）２３は、音声データに併せ、該音声データに関するインデックス情報も記憶する。
【００１９】
操作部２２には、録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）及びホールドスイッチ（ＨＯＬＤ）等の各種スイッチが機能別に配設されている。
【００２０】
表示部２０は、上記操作部２２のいずれかのスイッチ操作により、所定のシーケンスが開始したときの動作モード、またはその後の動作状況を表示する。例えば、表示部２０は、録音スイッチ（ＲＥＣ）が押下された場合には、録音の経過時間、録音可能な残り時間、及びファイルナンバー等を表示する。また、表示部２０は、メニュースイッチ（ＭＥＮＵ）が押下された場合には、マイク感度（会議／口述）、録音モード（ＨＱ／ＳＰ／ＬＰ）、及びアラーム（オン／オフ）等の機能選択に関連した表示を行う。さらに、表示部２０は、上記システム制御部２１が時計機能を有している場合には、現在日時のカレンダー表示も併せて行う。
【００２１】
距離検出部１９は、投受光部が一対になったアクティブ型測距モジュールで構成されている。また、距離検出部１９は、例えば後述する一連の測距シーケンスにより、話者からマイクまでの距離に比例または反比例した電圧値等の距離信号を出力する。もちろん、上記測距モジュールは、コスト等が許容できるのであれば、取り扱いのし易さおよび測距性能に優れるパッシブ型測距モジュールにより構成されてもよい。
【００２２】
次に、図３のフローチャートを参照しつつ、本実施形態のＩＣレコーダ１０２の動作の説明を行う。
【００２３】
ＩＣレコーダ１０２がパワーオンされると、システム制御部２１は、所定の初期設定（ステップＳ１）、及びタイマスタート（ステップＳ２）を実行する。上記タイマは、所定時間経過後にＩＣレコーダが通常の動作モードから待機モード（低消費電流モード）に移行するための時間を計時する。
【００２４】
ＩＣレコーダ１０２が動作モードに移行すると、システム制御部２１は、ステップＳ３〜ステップＳ８、及びステップＳ１８に示すスイッチ検出動作により、録音スイッチ（ＲＥＣ）、再生スイッチ（ＰＬＡＹ）、早送りスイッチ（ＦＦ）、早戻しスイッチ（ＲＥＷ）、停止スイッチ（ＳＴＯＰ）、メニュースイッチ（ＭＥＮＵ）、消去スイッチ（ＥＲＡＳＥ）の順にオンしたスイッチがあるか否かを検出する。
【００２５】
システム制御部２１は、オンされたスイッチが録音スイッチ（ステップＳ３）である場合には、録音処理のサブルーチン（ステップＳ１１）を実行する。また、システム制御部２１は、オンされたスイッチが再生スイッチ（ステップＳ４）である場合には再生処理のサブルーチン（ステップＳ１２）を実行し、オンされたスイッチが早送りスイッチ（Ｓ５）である場合には早送り処理のサブルーチン（ステップＳ１３）を実行し、オンされたスイッチが巻き戻しスイッチ（ステップＳ６）である場合には早戻し処理のサブルーチン（ステップＳ１４）を実行し、オンされたスイッチが停止スイッチ（ステップＳ７）である場合には停止処理のサブルーチン（ステップＳ１５）を実行し、オンされたスイッチがメニュースイッチ（ステップＳ８）である場合にはメニュー変更処理のサブルーチン（ステップＳ１６）を実行し、オンされたスイッチが消去スイッチ（ステップＳ１８）である場合には消去処理のサブルーチン（ステップＳ１９）を実行する。そして、システム制御部２１は、上記サブルーチンのいずれかを実行した場合、上記タイマを再スタート（ステップＳ１７）させつつメインループに戻る。
【００２６】
なお、上記早送り処理、早戻し処理、停止処理、メニュー変更処理、および消去処理の各処理は、周知の技術手段を用いて実施しているため、以降における詳細な説明は省略する。
【００２７】
一方、全てのスイッチがオフしている場合には、上記タイマの計時時間が所定時間をオーバーしたタイミング（ステップＳ９）において、待機モードのサブルーチン（ステップＳ１０）に移行する。
【００２８】
そして、ＩＣレコーダ１０２は、待機モードにおいては、低消費電流動作に応じた動作を行う。具体的には、システム制御部２１は、マイクロフォン（ＭＩＣ）１１、マイクアンプ（ＡＭＰ）１２、ローパスフィルタ（ＬＰＦ）１３、Ａ／Ｄ変換器（ＡＤＣ）１４、Ｄ／Ａ変換器（ＤＡＣ）１５、ローパスフィルタ（ＬＰＦ）１６、パワーアンプ（ＡＭＰ）１７、デジタル信号処理部（ＤＳＰ）２４、表示部２０、および記憶部（メモリ）２３の電源を遮断する、もしくは上記各ブロックを構成する図示しないＩＣに設けられているチップイネーブル端子に対して非選択信号を出力することにより、上記各ブロックに低消費電流状態に応じた動作を行わせる。
【００２９】
また、このとき、システム制御部２１は、低消費電流状態に応じた動作として、自らの動作クロックを消費電流の少ない低速クロックに切り換える動作を行う。なお、システム制御部２１は、低消費電流状態に応じた動作として、動作クロックをメインクロック（例えば１６．３８４ＭＨｚ）からサブクロック（例えば３２．７６８ｋＨｚ）に切り換えるとともに、その後スイッチ入力が検出されるまでは上記メインクロックを完全に停止させるような動作を行うものであっても良い。
【００３０】
図４に示すように、図２のマイクロフォン（ＭＩＣ）１１から入力される音声信号ＶＩＮは、オペアンプ４０、コンデンサＣ１、コンデンサＣ２、抵抗Ｒ１、及び抵抗Ｒ２からなる増幅回路により、おおよそＲ２／Ｒ１倍の音声信号ＶＬＯに増幅された後、ローパスフィルタ（ＬＰＦ）４１に出力される。なお、上記抵抗Ｒ１は、ＣＰＵ４６から出力される制御信号ＧＣＮＴに応じて自身の抵抗値を増減することが可能な、電子ボリューム等の可変抵抗器により構成されている。
【００３１】
このとき、音声信号ＶＬＯの振幅が後述するＡ／Ｄ変換器４３の入力ダイナミックレンジを越えないように、上記増幅回路の入出力間には、負帰還回路により構成されたオートゲインコントロール（ＡＧＣ）４２が付加されている。そして、上記オートゲインコントロール（ＡＧＣ）４２の作用により、音声信号ＶＩＮの過入力が自動的に抑制される。
【００３２】
上記音声信号ＶＬＯは、サンプリング周波数のおよそ０．４５倍のカットオフ周波数で動作するアンチエイリアス用のローパスフィルタ（ＬＰＦ）４１を通過することにより、量子化に不必要な高い周波数帯域の音声信号が減衰及び除去される。そして、上記ローパスフィルタ（ＬＰＦ）４１を通過した、上記カットオフ周波数よりも低い周波数帯域の音声信号は、後段のＡ／Ｄ変換器（ＡＤＣ）４３により、サンプリング周期毎に量子化（Ａ／Ｄ変換）されるとともに、少なくとも１４ビット以上のデジタル音声信号に変換されつつデジタル信号処理部（ＤＳＰ）４４へ出力される。
【００３３】
ローパスフィルタ（ＬＰＦ）４１、Ａ／Ｄ変換器（ＡＤＣ）４３、及びデジタル信号処理部（ＤＳＰ）４４には、サンプリング周波数ｆｓが供給される。
【００３４】
デジタル信号処理部（ＤＳＰ）４４は、ＣＰＵ４６が予め指定した圧縮率と上記サンプリング周波数ｆｓとの組み合わせに応じ、Ａ／Ｄ変換器（ＡＤＣ）４３から出力されるデジタル音声信号を所定ビットレートの音声データに符号化する。  
マグニチュードコンパレータ４５は、Ａ／Ｄ変換器（ＡＤＣ）４３から出力されるデジタル音声信号が、上側閾値＋ＶＴＨおよび下側閾値−ＶＴＨに対してどれだけ大きいかまたは小さいかの大小比較をサンプリング周期毎に行い、該比較の結果をＣＰＵ４６に音声信号レベル検出信号として出力する。具体的には、マグニチュードコンパレータ４５は、図５Ａに示すように、Ａ／Ｄ変換器（ＡＤＣ）４３のダイナミックレンジ内のオペアンプ４０の動作基準電圧ＡＶＲＥＦを基準として略対称的に振幅する音声信号ＶＬＯが、上側閾値＋ＶＴＨおよび下側閾値−ＶＴＨに対してどれだけ大きいかまたは小さいかの大小比較を行う。なお、Ａ／Ｄ変換器（ＡＤＣ）４３のダイナミックレンジは、図５Ａにおいて、ＡＤＩＮ（ＭＩＮ）からＡＤＩＮ（ＭＡＸ）までのレンジとして示されるものであるとする。さらに、上記ダイナミックレンジにおいては、ＶＣＣ＞ＡＤＩＮ（ＭＡＸ）であるとともに、ＡＤＩＮ（ＭＩＮ）＞ＧＮＤであるとする。
【００３５】
マイクロフォン（ＭＩＣ）１１に入力される音声が比較的大きい場合には、音声信号ＶＬＯが上側閾値＋ＶＴＨと下側閾値−ＶＴＨとをそれぞれ越えて振幅する（ＡＤＩＮ（ＭＡＸ）＞ＶＬＯ≧＋ＶＴＨ、及び−ＶＴＨ≧ＶＬＯ＞ＡＤＩＮ（ＭＩＮ）となる）。また、マイクロフォン（ＭＩＣ）１１に入力される音声が比較的小さい場合には、音声信号ＶＬＯの振幅が上側閾値＋ＶＴＨと下側閾値−ＶＴＨの範囲内に収束する（＋ＶＴＨ＞ＶＬＯ＞−ＶＴＨとなる）。
【００３６】
一方、閾値比較部５４は、アクティブ型測距モジュール４７から出力される電圧値等の距離信号が、閾値ＶＴＨに対してどれだけ大きいかまたは小さいかの大小比較を一定周期毎に行うとともに、該比較の結果を話者距離検出信号としてＣＰＵ４６へ出力する。具体的には、閾値比較部５４は、図５Ｂに示すように、アクティブ型測距モジュール４７内の距離検出回路４８から出力される話者からマイクまでの距離に反比例した電圧値ＶＤＳと、予め決められたマイク感度最適調整距離限界に相当する閾値ＶＴＨとの大小比較を行う。
【００３７】
ＣＰＵ４６は、閾値比較部５４から出力される比較結果に基づき、話者からマイクまでの距離を判定する。すなわち、ＣＰＵ４６は、予め決められた電圧値ＶＤＳと距離との相関に基づき、ＶＤＳ≧ＶＴＨの場合には話者からマイクまでの距離が近いと判定し、ＶＤＳ＜ＶＴＨの場合には話者からマイクまでの距離が遠いと判定する。
【００３８】
このとき、アクティブ型測距モジュール４７は、一定周期毎に赤外ＬＥＤ５０及び投光レンズ５１からなる投光部において生成された赤外光を話者５３に投光するとともに、受光素子４９及び受光レンズ５２からなる受光部において上記赤外光の反射光を受光する。そして、距離検出回路４８は、上記受光部において受光された上記反射光の入射角および光量を増幅演算することにより、電圧値ＶＤＳを出力する。
【００３９】
なお、アクティブ形式の測距及び該測距における測距アルゴリズムについては、カメラ等のオートフォーカス制御において周知である技術を用いて実施しているため、以降における詳細な説明は省略する。
【００４０】
次に、主に図６のフローチャートを参照しつつ、本実施形態における録音処理についての説明を行う。
【００４１】
録音処理が開始されると、最初にマイク感度（会議／口述）、録音モード（ＨＱ／ＳＰ／ＬＰ）、ファイルナンバー、及び該音声データを記憶する音声データ記憶領域開始アドレス等の各種情報が記憶部（メモリ）２３のインデックス情報領域に記憶（ステップＳ３０）される。次に、後述する話者距離検出処理（ステップＳ３１）により、マイク感度が選択されるとともに、話者からマイクまでの距離がアクティブ型測距モジュール４７により判定される。
【００４２】
マイク感度が「会議」である場合、または、マイク感度が「口述」かつＶＤＳ≧ＶＴＨである場合には、後述するステップＳ３４の処理に移行する。停止スイッチ（ＳＴＯＰ）がオンされた場合（ステップＳ３２）には、録音終了処理（ステップＳ４４）により録音が終了される。
【００４３】
なお、本実施形態のマイク感度は、「会議」が高感度に、「口述」が低感度に各々対応しているとする。また、本実施形態の録音モードは、「ＨＱ」が高ビットレート用のサンプリング周波数に、「ＳＰ」が中ビットレート用のサンプリング周波数に、「ＬＰ」が低ビットレート用のサンプリング周波数に各々対応しているとする。
【００４４】
音声信号は、選択された録音モードにおけるサンプリング周波数ｆｓのサンプリング周期毎に量子化（Ａ／Ｄ変換）され（ステップＳ３３）た後、デジタル信号処理部（ＤＳＰ）４４により符号化される（ステップＳ３４）。なお、デジタル信号処理部（ＤＳＰ）４４による上記符号化は、フレーム単位で行われるとともに、音声データが所定フレーム数になるまで連続的に行われるものとする。
【００４５】
そして、ＣＰＵ４６は、自身が有する図示しないバッファメモリに記憶された音声データが予め決められた所定フレーム数になる（ステップＳ３５）と、該所定フレーム数の音声データを記憶部（メモリ）２３の音声データ記憶領域に書き込んで記憶させる（ステップＳ３６）。具体的には、例えば、１４ビット／フレームの音声信号を４ビット／フレームまで符号化された音声データが記憶部（メモリ）２３へ５１２バイト単位で書き込む場合、所定フレーム数は１０２４になる。
【００４６】
所定フレーム数の音声データが記憶部（メモリ）２３に蓄積されていない場合、録音対象判定に必要な音声信号レベル検出が行われ（ステップＳ３７）た後、ＣＰＵ４６により所定時間が経過したか否かが検出される（ステップＳ３８）。そして、ステップＳ３８の処理において、所定時間が経過していないことをＣＰＵ４６が検出した場合、ステップＳ３３の処理に移行するとともに、該所定時間が経過するまでは、ステップＳ３３からステップＳ３８までの処理が繰り返し行われる。
【００４７】
一方、マグニチュードコンパレータ４５においては、量子化された音声信号のレベル検出がサンプリング周期毎に行われる。そして、ＣＰＵ４６は、所定時間の経過を検出した際（ステップＳ３８）に、該所定時間内にマグニチュードコンパレータ４５において採集された複数の音声信号レベル検出信号に基づいて録音対象を判定する。
【００４８】
具体的には、ＣＰＵ４６は、上記所定時間内における前述の音声信号レベル検出信号の検出回数と、録音対象毎の検出回数平均値とを比較参照することにより録音対象を判定する（ステップＳ３９）。なお、上記録音対象毎の検出回数平均値は、フィールドテスト等の実測により得られた値として、ＣＰＵ４６の図示しないプログラムメモリに既定値として記憶されているものであるとする。
【００４９】
具体的には、例えば、ｆｓ＝１６ｋＨｚのサンプリング周波数により量子化される音声信号の、録音開始から１０秒間に検出される音声信号レベル検出信号の回数は、最大１６００００回になる。このとき、ＣＰＵ４６は、複数の録音対象のうち、音声信号レベル検出信号の検出回数に最も近い検出回数平均値が検出されたものを録音対象として判定する。
【００５０】
すなわち、マイクロフォン（ＭＩＣ）１１に入力される音声の大小に比例して所定時間内の音声信号レベル検出信号の検出回数が増減するため、予め設定された録音対象毎の検出回数平均値と該音声信号レベル検出信号の検出回数とを比較参照することにより、おおよその録音環境を類推することができる。
【００５１】
なお、上述したステップＳ３９の処理においては、録音対象の判定精度を向上させるために、例えば、音声信号の検出レベルを複数用いる処理が行われるものであっても良く、または、取得される音声信号の検出間隔及び検出回数等を統計的に算術処理し、モデル的な録音対象との相関性に基づいて実際の録音対象の類推を行う処理が行われるものであっても良い。
【００５２】
さらに、各録音モード毎の録音対象は、少なくとも「遠い口述録音」と「近い口述録音」とに大別できれば良い。そのため、ＣＰＵ４６は、音声信号レベル検出信号の検出回数が前述の検出回数平均値よりも多い場合には「近い口述録音」、少ない場合には「遠い口述録音」と判定する。具体的には、例えば、ＣＰＵ４６は、前述のｆｓ＝１６ｋＨｚのサンプリング周波数の録音においては、１０秒間に検出する音声信号レベル検出信号が１００００［回］以上のときを「近い口述録音」、１００００［回］に満たないときを「遠い口述録音」と判定する。
【００５３】
このとき、話者からマイクまでの距離は、ＶＤＳ＝−ａＤ＋Ｖｂの関係式で表すことができる。なお、上記関係式における“ａ”は、距離変数“Ｄ”に係る任意の係数である。また、上記関係式における“Ｖｂ”は、話者からマイクまでの距離が最至近の場合の出力値である。
【００５４】
ＣＰＵ４６により録音対象が「近い口述録音」であると判定された場合には、話者からマイクまでの距離がマイク感度最適調整距離限界内に保たれ（ＶＤＳ≧ＶＴＨ）、すなわち、マイクロフォン（ＭＩＣ）１１に入感される音声が強く大きいため、このまま録音を継続しても高品質な録音が得られる。
【００５５】
一方、ＣＰＵ４６により録音対象が「遠い口述録音」であると判定された場合には、話者からマイクまでの距離がマイク感度最適調整距離限界内に保たれておらず（ＶＤＳ＜ＶＴＨ）、すなわち、マイクロフォン（ＭＩＣ）１１に入感される音声が弱く小さくなってしまう場合が生じるため、後述する話者距離検出処理（ステップＳ４０）により、話者からマイクまでの距離が再判定される。
【００５６】
ここで、主に図７のフローチャートを参照しつつ、話者距離検出処理についての説明を行う。
【００５７】
まず、マイク感度が「会議」の場合には、ただちに本サブルーチンから録音処理のループに戻り（ステップＳ５０）、録音が継続される。また、マイク感度が「口述」の場合には、話者距離検出が実行（ステップＳ５１）された後、話者からマイクまでの距離がマイク感度最適調整距離限界内に保たれているか否かが判定される（ステップＳ５２）。
【００５８】
上記ステップＳ５２の判定結果に基づき、マイク感度最適調整距離限界範囲内に話者がいる場合には、マイクロフォン（ＭＩＣ）１１に入感される音声が十分大きいか否かの判定が引き続き行われる（ステップＳ５３）。そして、上記ステップＳ５３における判定結果に基づき、マイクロフォン（ＭＩＣ）１１に入感される音声が十分大きい場合には、オートゲインコントロール（ＡＧＣ）４２において、音声の過入力を抑制するための動作が行われる（ステップＳ５４）。また、上記ステップＳ５３における判定結果に基づき、マイクロフォン（ＭＩＣ）１１に入感される音声が十分な大きさでない場合には、マイク感度が最適な感度にアップされた（ステップＳ５５）後、本サブルーチンから録音処理のループに戻り、録音が継続される。
【００５９】
また、上記ステップＳ５２の判定結果に基づき、マイク感度最適調整距離限界範囲内に話者がいる場合においても、上記ステップＳ５３と同様に、マイクロフォン（ＭＩＣ）１１に入感される音声が十分大きいか否かの判定が行われる（ステップＳ５６）。そして、上記ステップＳ５６における判定結果に基づき、マイクロフォン（ＭＩＣ）１１に入感される音声が十分大きい場合には、マイク感度が最適な感度にアップされた（ステップＳ５５）後、本サブルーチンから録音処理のループに戻る。また、上記ステップＳ５６における判定結果に基づき、マイクロフォン（ＭＩＣ）１１に入感される音声が十分な大きさでない場合には、表示部２０に録音不可警告表示を出力する（ステップＳ５７）。
【００６０】
そして、話者からマイクまでの距離がマイク感度最適調整距離限界内に保たれるまで（ステップＳ５９）の間、話者距離検出が連続的に行われる（ステップＳ５８）。そして、ステップＳ５８及びステップＳ５９のループにおいて、操作者により停止スイッチ（ＳＴＯＰ）がオンされた場合（ステップＳ６０）、または、操作者が上記録音不可警告表示に気付き、話者からマイクまでの距離をマイク感度最適調整距離限界内に再度保ち直した場合には、録音不可警告表示が停止され（ステップＳ６１）、本サブルーチンから録音処理のループに戻り、録音が継続される。
【００６１】
話者距離検出処理（ステップＳ４０）が完了した後、引き続き停止スイッチ（ＳＴＯＰ）がオンされたか否かの判定が行われる（ステップＳ４１）。そして、上記ステップＳ４１の判定結果に基づき、停止スイッチ（ＳＴＯＰ）がオンされた場合には、録音終了処理（ステップＳ４４）が実行されることにより、録音が終了される。また、上記ステップＳ４１の判定結果に基づき、停止スイッチ（ＳＴＯＰ）がオンされていない場合には、話者からマイクまでの距離が変化している可能性が高いので、マイク感度が最適になるように調整が行われる（ステップＳ４２）。具体的には、ＣＰＵ４６が制御信号ＧＣＮＴを抵抗Ｒ１へ出力することにより、音声信号ＶＬＯの増幅率が最大になるように、該抵抗Ｒ１の抵抗値を減少させる。これにより、例えば過大な音声信号ＶＩＮが入力された場合であっても、オートゲインコントロール（ＡＧＣ）４２が音声信号の過入力を自動的に抑制するため、上記音声信号ＶＬＯの振幅がＡ／Ｄ変換器（ＡＤＣ）４３の入力ダイナミックレンジを越えることはない。
【００６２】
このようにして、停止スイッチ（ＳＴＯＰ）がオンする（ステップＳ４３）までの間、上記ステップＳ３３からステップＳ４２までの処理が繰り返し行われることにより、抵抗Ｒ１の抵抗値が徐々に減少され、最終的にはマイク感度最適調整距離限界内において音声信号ＶＬＯの増幅率が最適になるようなＲ２／Ｒ１倍の抵抗値が決定される。
【００６３】
ここで、実際にＩＣレコーダ１０２を用いつつ、インタビューに類する状況において口述録音を行う場合の様子を、図８Ａ及び図８Ｂを参照しつつ説明する。
【００６４】
図８Ａに示すように、ＩＣレコーダ１０２の外装上面部には、マイクジャック２０１、マイクロフォン孔２０２、イヤフォンジャック２０３、及び、図４のアクティブ型測距モジュール４７の投光レンズ５１及び受光レンズ５２からなる、投受光レンズ部２０４が配設されている。また、マイクロフォン孔２０２の真下には、図２のマイクロフォン（ＭＩＣ）１１が配設されている。
【００６５】
なお、図８Ｂに示すように、ＩＣレコーダ１０２の外装前面部には、録音スイッチ（ＲＥＣ）２０７と、該録音スイッチ（ＲＥＣ）２０７以外の、１または複数の図示しないスイッチとが配設されている。なお、上記１または複数の図示しないスイッチは、ＩＣレコーダ１０２の外装前面部に配設されるものに限らず、その一部または全部がＩＣレコーダ１０２の外装側面部に配設されるものであっても良い。
【００６６】
ＩＣレコーダ１０２のの録音スイッチ（ＲＥＣ）２０７がオンされると、録音が開始される。このとき、ＩＣレコーダ１０２の外装前面部に配設された表示部２０８には、録音開始初期の表示が出力され、録音動作状態であることが操作者に告知される。具体的には、表示部２０８には、例えば、録音中を表す“ＲＥＣ”、マイク感度が「口述」であることを表す“ＤＩＣＴ”、録音経過時間を表す“００  ００  ００”、及び、時間単位を表す“Ｈ  Ｍ  Ｓ”等が表示される。
【００６７】
さらに、マイク感度が「口述」の場合には、上述の読者距離検出判定結果に基づく録音可否の告知が行われる。具体的には、例えば、図２のマイクロフォン（ＭＩＣ）１１に入感される音声が弱く小さくなりがちなマイク感度最適調整距離限界範囲外に話者がいる場合には、録音不可を表す警告表示として、“ＳＰＬ  ＬＯＷ”の文字列が表示部２０８に表示される。なお、該警告表示は、話者５３からマイクロフォン孔２０２までの距離がマイク感度最適調整距離限界内に保たれるまでの間表示され続ける。
【００６８】
なお、上記警告表示は、録音不可であることを更に明快に操作者に告知可能なように、例えば、“ＳＰＬ  ＬＯＷ”の文字列が点滅しながら表示されるものであってもよい。また、録音不可であることを表すための警告表示の方法としては、例えば、、ＬＥＤ等の発光表示を点灯または点滅させるものであってもよい。
【００６９】
以上に述べたように、本実施形態における音声記録再生装置によれば、録音対象の種類または録音対象までの距離に加え、該録音対象において発せられた音量を併せて考慮した動作を行うことにより、従来に比べて録音品質を向上させることが可能である。
【００７０】
また、本実施形態における音声記録再生装置によれば、未だに操作者自身の経験及び知識に依る部分を少なくしつつ、口述等の録音対象の音声を確実に録音することができる。
【００７１】
さらに、本実施形態のＩＣレコーダ１０２は、待機モードにおいて、前述したような低消費電流状態に応じた動作を行うことにより、録音停止中の電池のエネルギーの消耗を抑制することができる。
【００７２】
なお、本発明は、上述した実施形態に限定されるものではなく、発明の趣旨を逸脱しない範囲内において種々の変更や応用が可能であることは勿論である。
【００７３】
（付記）
（付記項１）
録音動作において、口述等の録音対象の音声信号と予め決められた所定のレベル値とを大小比較する音声信号レベル検出手段と、
所定時間内に上記音声信号レベル検出手段により検出された、上記所定のレベル値以上の音声信号の入力回数に基づいて上記録音対象を判定する録音対象判定手段と、
音声記録再生装置の拾音位置から上記録音対象までの距離を測距する話者距離測距手段と、
上記話者距離測距手段から出力された距離信号と予め決められた所定の判定基準値とを大小比較する話者距離検出手段と、
上記話者距離検出手段により検出された距離信号と上記所定の判定基準値との相関に基づき、上記音声記録再生装置の拾音位置から上記録音対象までの距離が所定の距離内であるか否かをを判定する話者距離判定手段と、
上記録音対象判定手段の判定結果と上記話者距離判定手段の判定結果とに基づき、上記音声信号レベル検出手段により検出される音声信号レベルを最適化して録音開始停止を制御する録音制御手段と、
上記録音制御手段の制御に基づき、上記音声信号を所定のサンプリング周波数に応じたビットレートの音声データに符号化する符号化手段と、
を具備することを特徴とする音声記録再生装置。
【００７４】
（付記項２）
上記録音制御手段は、上記話者距離判定手段により上記音声記録再生装置の拾音位置から上記録音対象までの距離が上記所定の距離内であると判定された場合に、上記音声信号レベル検出手段により検出される音声信号レベルが上記所定のレベル値以上になるように制御を行うことを特徴とする付記項１に記載の音声記録再生装置。
【００７５】
（付記項３）
上記話者距離判定手段により上記音声記録再生装置の拾音位置から上記録音対象までの距離が上記所定の距離外であると判定された場合に、警告表示を行う警告手段を更に有することを特徴とする付記項１に記載の音声記録再生装置。
【００７６】
（付記項４）
上記話者距離判定手段により上記音声記録再生装置の拾音位置から上記録音対象までの距離が上記所定の距離外であると判定された場合に、上記録音動作開始前に設定された動作モードに応じて上記録音制御手段による制御を一時的に停止することを特徴とする付記項１に記載の音声記録再生装置。
【図面の簡単な説明】
【００７７】
【図１】本発明の一実施形態としての音声記録再生装置の要部の構成を示したブロック図。
【図２】図１の音声記録再生装置を有して構成されるＩＣレコーダの要部のブロック構成を示す図。
【図３】本実施形態のＩＣレコーダの主な動作を示すフローチャート。
【図４】図２のＩＣレコーダにおいて、録音動作に関わる機能のブロック構成を示す図。
【図５Ａ】入力される音声信号と、Ａ／Ｄ変換器のダイナミックレンジと、マグニチュードコンパレータが行う比較処理において用いられる閾値との相関を示す図。
【図５Ｂ】話者からマイクまでの距離と、距離検出回路から出力される電圧値との相関を示す図。
【図６】本実施形態のＩＣレコーダにおいて行われる録音処理を示すフローチャート。
【図７】図６における話者距離検出処理のサブルーチンを示すフローチャート。
【図８Ａ】本実施形態のＩＣレコーダにおける上面部の外観を示す図。
【図８Ｂ】本実施形態のＩＣレコーダにおける前面部の外観を示す図。
【符号の説明】
【００７８】
１・・・音声信号レベル検出手段、２・・・録音対象判定手段、３・・・話者距離測距手段、４・・・話者距離検出手段、５・・・話者距離判定手段、６・・・録音制御手段、７・・・符号化手段、１０１・・・音声記録再生装置、１０２・・・ＩＣレコーダ
【図１】
2008292684.tif 000003
【図２】
2008292684.tif 000004
【図３】
2008292684.tif 000005
【図４】
2008292684.tif 000006
【図５Ａ】
2008292684.tif 000007
【図５Ｂ】
2008292684.tif 000008
【図６】
2008292684.tif 000009
【図７】
2008292684.tif 000010
【図８Ａ】
2008292684.tif 000011
【図８Ｂ】
2008292684.tif 000012